(57)【要約】      （修正有）【課題】酸素濃縮装置を製造する際の管理工数を削減でき、酸素濃縮装置の製造にかかる手間やコストを低減できる酸素濃縮装置を提供する。【解決手段】マイクロコンピュータ５と外部装置との無線通信を行う無線モジュール３３が、マイクロコンピュータ５に、無線通信が可能な所定の接続状態で接続されているか否かを、第１コネクタ４９側に所定のコマンドを送信し、その応答信号の状態に基づいて判定する。そして、無線モジュール３３がマイクロコンピュータ５に所定の接続状態で接続されていると判定された場合には、マイクロコンピュータ５の動作モードを無線モジュールによる無線通信を行う場合の動作モードに切り替える。【選択図】図４
2017131269.tif 000002
【特許請求の範囲】
【請求項１】
空気中より酸素を分離して酸素濃縮ガスを生成する酸素濃縮装置において、
前記酸素濃縮装置は自身の動作を制御する電子制御装置を備えており、前記電子制御装置は、
前記電子制御装置と前記酸素濃縮装置外の外部装置との無線通信を行う無線モジュールが、前記電子制御装置に前記無線通信が可能な所定の接続状態で接続されているか否かを判定する接続判定部と、
前記接続判定部によって、前記無線モジュールが前記電子制御装置に所定の接続状態で接続されていると判定された場合には、前記電子制御装置の動作モードを前記無線モジュールによる無線通信を行う場合の動作モードに切り替える動作モード切替部と、
を備えたことを特徴とする酸素濃縮装置。
【請求項２】
前記接続判定部は、前記電子制御装置と前記無線モジュールとが接続される接続部に対して、前記無線モジュールの接続の有無を判定するための所定の信号を送信するとともに、前記所定の信号に対する応答信号の状態に基づいて、前記無線モジュールの接続の有無を判定することを特徴とする請求項１に記載の酸素濃縮装置。
【請求項３】
前記接続判定部は、前記応答信号の内容に基づいて、前記無線モジュールの無線形式を判定することを特徴とする請求項２に記載の酸素濃縮装置。
【請求項４】
前記酸素濃縮装置の起動時に、前記接続判定部によって、前記無線モジュールが前記電子制御装置に所定の接続状態で接続されているか否かを判定することを特徴とする請求項１〜３のいずれか１項に記載の酸素濃縮装置。
【請求項５】
前記接続判定部によって得られた判定結果に基づいて、前記酸素濃縮装置の表示装置の表示画面を切り替えることを特徴とする請求項１〜４のいずれか１項に記載の酸素濃縮装置。
【請求項６】
前記電子制御装置は入力用又は出力用の端子として複数のポートを有しており、
前記接続判定部による判定を行う場合には、前記ポートのうちの所定のポートを通信を行うための通信ポートとして設定することを特徴とする請求項１〜５のいずれか１項に記載の酸素濃縮装置。
【請求項７】
前記接続判定部によって、前記無線モジュールが前記電子制御装置に接続されていないと判定されたときには、前記通信ポートを出力ポートとして設定することを特徴とする請求項６に記載の酸素濃縮装置。
【発明の詳細な説明】
【技術分野】
【０００１】
本発明は、空気中の酸素を分離して酸素濃縮ガスを生成する酸素濃縮装置に関する。
【背景技術】
【０００２】
従来、例えば、窒素を選択的に吸着する吸着剤を用いて、空気中から酸素を分離して酸素濃縮ガスを生成し、その酸素濃縮ガスを患者等に供給する酸素濃縮装置が知られている。
【０００３】
この種の酸素濃縮装置においては、その性能等を改善するために各種の技術が提案されている。
例えば、特許文献１には、酸素濃縮装置の運転状態（即ち過去の稼働状態）の情報を容易に取り出すことができるように、運転状態の情報を外部に出力する外部端子の信号線の接地を検出し、酸素濃縮装置の表示を切り替える技術が開示されている。
【０００４】
また、特許文献２には、酸素濃縮装置等において、ノーマルモードとトレーニングモードを切り替え可能にし、トレーニングモードでは、実際の治療の作業手順に即した説明を容易に行えるようにした技術が開示されている。
【０００５】
さらに、特許文献３には、酸素濃縮装置の周囲の明るさを検出して、酸素濃縮装置の表示ＬＥＤの明るさを調節する技術が開示されている。
上述したような酸素濃縮装置では、その運転状態の情報を外部に出力する場合には、通常、酸素濃縮装置の出力用の端子に検査装置の端子を接続して行われるが（即ち有線にて行われるが）、近年では、無線にて情報を出力する酸素濃縮装置も開発されている。
【０００６】
この無線機能を有する酸素濃縮装置では、酸素濃縮装置の動作を制御する電子制御装置に、無線通信を行う回路として無線モジュールが接続される。
また、無線モジュールが接続される酸素濃縮装置に対しては、無線通信が可能な専用のソフトウェアがインストールされる。なお、使用する無線モジュールの無線形式によっては、対応するソフトウェアも異なる。
【０００７】
さらに、無線モジュールが搭載されているか否かによって、その機能が異なるので、酸素濃縮装置の表示装置に表示される設定画面なども異なる。
【先行技術文献】
【特許文献】
【０００８】
【特許文献１】特開２００８−２５３９０２号公報
【特許文献２】特開２０１２−０７５４５１号公報
【特許文献３】特開２００５−１９８７０２号公報
【発明の概要】
【発明が解決しようとする課題】
【０００９】
ところで、上述した各種の酸素濃縮装置（例えば複数の品番の酸素濃縮装置）を、同じ工場等で製造する場合には、無線機能を有する酸素濃縮装置だけでなく、無線機能を有しない酸素濃縮装置も製造されることがあるので、その場合には、製造工程が複雑になるという問題があった。
【００１０】
つまり、無線機能を有するか否かに応じて、それぞれの酸素濃縮装置に対応して専用のソフトウェアを用意してインストールする必要などがあり、その分管理工数が増えるという問題があった。
【００１１】
従って、酸素濃縮装置の製造に手間がかかりコストも増加するという問題があった。
本発明は、かかる背景に鑑みてなされたものであり、その目的は、酸素濃縮装置を製造する際の管理工数を削減でき、酸素濃縮装置の製造にかかる手間やコストを低減できる酸素濃縮装置を提供することである。
【課題を解決するための手段】
【００１２】
（１）本発明の第１局面は、空気中より酸素を分離して酸素濃縮ガスを生成する酸素濃縮装置において、前記酸素濃縮装置は自身の動作を制御する電子制御装置を備えており、前記電子制御装置は、前記電子制御装置と前記酸素濃縮装置外の外部装置との無線通信を行う無線モジュールが、前記電子制御装置に前記無線通信が可能な所定の接続状態で接続されているか否かを判定する接続判定部と、前記接続判定部によって、前記無線モジュールが前記電子制御装置に所定の接続状態で接続されていると判定された場合には、前記電子制御装置の動作モードを前記無線モジュールによる無線通信を行う場合の動作モードに切り替える動作モード切替部と、を備えている。
【００１３】
本第１局面では、接続判定部によって、電子制御装置と外部装置との無線通信を行う無線モジュールが、電子制御装置に無線通信が可能な所定の接続状態（即ち正常に機能するような適正な接続状態）で接続されているか否かを判定する。そして、無線モジュールが電子制御装置に所定の接続状態で接続されていると判定された場合には、動作モード切替部によって、電子制御装置の動作モードを無線モジュールによる無線通信を行う場合の動作モードに切り替える。
【００１４】
つまり、本第１局面では、酸素濃縮装置に無線モジュールが搭載されているか否かを判定し、その判定結果に応じて、自動的に無線モジュールの搭載の有無に対応した動作モードを切り替えることができる。
【００１５】
従って、無線モジュールを搭載する酸素濃縮装置や無線モジュールを搭載しない酸素濃縮装置を、同じ製造工場等で製造する場合でも、電子制御装置に上述した判定や切り替えを行う共通のソフトウェアを組み込んでおけば良いので、管理工数を低減できるという効果がある。
【００１６】
つまり、例えば２品番で同じ部品（同じソフトウェアを組み込んだ基板）が使用できるので、管理工数を低減でき、複数種の酸素濃縮装置の製造にかかる手間やコストを低減できるという顕著な効果を奏する。
【００１７】
ここで、無線モジュールとは、無線通信を行うための回路（無線装置）である。また、「動作モード」とは、所定の動作を行うための様式（ここでは無線通信を行うことができる状態）であり、この無線通信を行う動作モードとしては、例えば酸素濃縮装置にディスプレイが搭載されている場合には、その表示画面を無線通信に関連した情報を表示するモードが挙げられる。また、例えば酸素濃縮装置を操作する無線のリモコンがある場合には、そのリモコンとの通信を行うためのモード等が挙げられる。
【００１８】
（２）本発明の第２局面では、前記接続判定部は、前記電子制御装置と前記無線モジュールとが接続される接続部に対して、前記無線モジュールの接続の有無を判定するための所定の信号を送信するとともに、前記所定の信号に対する応答信号の状態に基づいて、前記無線モジュールの接続の有無を判定する。
【００１９】
本第２局面では、電子制御装置から接続部に対して送信した所定の信号の応答信号の状態に基づいて、無線モジュールの接続の有無を判定することができる。
（３）本発明の第３局面では、前記接続判定部は、前記応答信号の内容に基づいて、前記無線モジュールの無線形式を判定する。
【００２０】
本第３局面では、応答信号の内容に無線モジュールの無線形式を示す情報が含まれている場合には、応答信号の内容に基づいて、無線モジュールの無線形式を判定することができる。
【００２１】
（４）本発明の第４局面では、前記酸素濃縮装置の起動時に、前記接続判定部によって、前記無線モジュールが前記電子制御装置に所定の接続状態で接続されているか否かを判定する。
【００２２】
本第４局面では、酸素濃縮装置の起動時に、無線モジュールの接続状態を判定するので、その後は、その判定結果に基づいて設定される動作モードにて、酸素濃縮装置を作動させることができる。
【００２３】
（５）本発明の第５局面では、前記接続判定部によって得られた判定結果に基づいて、前記酸素濃縮装置の表示装置の表示画面を切り替える。
本第５局面では、無線モジュールの接続状態の判定結果に基づいて表示内容を切り替えるので、その表示内容から、無線モジュールの接続状態や動作モードを容易に認識することができる。
【００２４】
（６）本発明の第６局面は、前記電子制御装置は入力用又は出力用の端子として複数のポートを有しており、前記接続判定部による判定を行う場合には、前記ポートのうちの所定のポートを通信を行うための通信ポートとして設定する。
【００２５】
本第６局面は、接続状態の判定を行う場合には、ポートのうちの所定のポートを通信を行うための通信ポートとして設定するので、その通信ポートを利用して、接続状態等を認識することができる。
【００２６】
また、無線モジュールが接続されている場合には、その通信ポートを利用して、データの送受信を行うことが可能になる。
なお、通信ポートとしては、送信用の通信ポートと受信用の通信ポートを採用できる。
【００２７】
（７）本発明の第７局面では、前記接続判定部によって、前記無線モジュールが前記電子制御装置に接続されていないと判定されたときには、前記通信ポートを出力ポートとして設定する。
【００２８】
本第７局面では、無線モジュールが接続されていない場合には、前記通信ポート（即ち無線モジュールとの通信（送信又は受信）を行うポート）を出力ポートに設定するので、ノイズや外乱が電子制御装置に入力することを抑制できる。
【００２９】
なお、ここで、出力ポートとは０か１を選択して出力するポートであり、入力ポートとは０か１かを判別して状態を読み取るポートであり、通信ポートとは外部装置との情報の入出力に使用するポートである。
【図面の簡単な説明】
【００３０】
【図１】実施形態の酸素濃縮装置のシステム構造を示すブロック図である。
【図２】実施形態の酸素濃縮装置のディスプレイの表示画面を示す説明図である。
【図３】マイクロコンピュータの処理内容を機能的に示すブロック図である。
【図４】マイクロコンピュータと無線モジュールとの接続状態を示す説明図である。
【図５】マイクロコンピュータで実施される処理内容を示すフローチャートである。
【図６】（ａ）は無線モジュールが接続されている場合の表示画面を示す説明図、（ｂ）は無線モジュールが接続されていない場合の表示画面を示す説明図である。
【発明を実施するための形態】
【００３１】
［１．実施形態］
［１−１．全体構成］
まず、本実施形態の酸素濃縮装置のシステム構成について説明する。
【００３２】
図１に示すように、本実施形態の酸素濃縮装置１は、例えば、酸素より窒素を優先的に吸着する吸着剤を用いて、空気から高濃度の酸素（酸素濃縮ガス）を生成し、所定の設定流量に基づいて、酸素濃縮ガスを患者等の使用者に提供する周知の装置である。
【００３３】
この酸素濃縮装置１は、自身の動作を制御する電子制御装置３を備えている。
この電子制御装置３は、周知のマイクロコンピュータ５と、運転状態等のデータを記憶するＥＥＰＲＯＭ７等を備えている。
【００３４】
このマイクロコンピュータ５は、例えばＬＳＩであるワンチップマイコンであり、周知のＣＰＵ９、ＲＡＭ１１、ＲＯＭ１３、入力部１５、出力部１７等を備えている。
なお、ＥＥＰＲＯＭ７は、電源がオフされた場合でもデータを保持できる周知の不揮発性メモリである。このＥＥＰＲＯＭ７には、例えば酸素濃縮装置１のオン、オフのデータ（時間等）、酸素濃縮ガスの供給流量（設定流量）、異常報知の内容等の運転状態のデータが記憶される。
【００３５】
前記マイクロコンピュータ５の入力部１５には、例えば、電源スイッチ２１、操作部２３、各種のセンサ類２５等が接続されている。
このうち、操作部２３とは、酸素濃縮装置１の動作を操作するボタンやスイッチ等であり、後述するディスプレイ３１のタッチパネルに表示される操作部２３が挙げられるが、タッチパネル以外に別途操作スイッチを設けてもよい。なお、操作部２３により操作する内容としては、流量を設定する操作等が挙げられる
また、センサ類２５としては、酸素濃縮ガスの酸素濃度を検出する酸素センサ（図示せず）等が挙げられる。
【００３６】
一方、マイクロコンピュータ５の出力部１７には、例えば、モータ２７、電磁弁２９、ディスプレイ３１、無線モジュール３３等が接続されている。
このうち、モータ２７は、空気を加圧するコンプレッサ（図示せず）を駆動するモータである。電磁弁２９は、空気や酸素濃縮ガスの流路等を開閉する電磁弁である。
【００３７】
ディスプレイ３１は、例えば図２に示すように、酸素濃縮装置１の動作（例えば酸素濃縮ガスの流量）等を表示する例えば液晶表示装置である。なお、このディスプレイ３１は、タッチパネルとしての機能を有しており、前記操作部２３は、タッチパネルの所定の部分（例えばボタンで表示される部分）に設定されている。
【００３８】
無線モジュール３３は、酸素濃縮装置１と外部装置３５との間の無線通信を行う回路である。ここで、外部装置３５としては、酸素濃縮装置１のメンテナンス等の際に、酸素濃縮装置１（詳しくはＥＥＰＲＯＭ７）から過去の運転状態を示すデータを取り出すために、担当者が使用するデータ管理装置である携帯端末等が挙げられる。
【００３９】
なお、外部装置３５としては、データ管理装置以外に、酸素濃縮装置１の動作を無線にて操作するリモコン（図示せず）が挙げられるが、ここでは、データ管理装置を例に挙げて説明する。
【００４０】
また、本実施形態では、無線モジュール３３が接続された酸素濃縮装置１を例に挙げたが、後述する処理は、無線モジュール３３が搭載されない酸素濃縮装置１にも適用できる。なお、無線モジュール３３が搭載されない酸素濃縮装置１では、有線にてデータを取り出すことができる。
【００４１】
上述したマイクロコンピュータ５は、図３に示すように、その動作内容として、機能的に、接続判定部４１と動作モード切替部４３とを備えている。
接続判定部４１は、電子制御装置３のマイクロコンピュータ５と外部装置３５との無線通信を行う無線モジュール３３が、マイクロコンピュータ５に無線通信が可能な所定の（即ち適正な）接続状態で接続されている否かを判定するものである。
【００４２】
動作モード切替部４３は、接続判定部４１によって、無線モジュール３３がマイクロコンピュータ５に所定の接続状態で接続されていると判定された場合には、マイクロコンピュータ５の動作モードを無線モジュール３３による無線通信を行う場合の動作モードに切り替えるものである。
【００４３】
なお、この「無線通信を行う場合の動作モード」とは、後述するように、無線通信を実施するための動作や操作を可能にするように設定するモードであり、無線通信に対応するように、ポートを設定したりディスプレイ３１の表示内容を表示すること等が挙げられる。
【００４４】
［１−２．無線モジュールの接続］
次に、マイクロコンピュータ５と無線モジュール３３との接続について説明する。
図４に示すように、マイクロコンピュータ５には、周囲の機器との接続のために多数の端子（即ちポート）４５を備えている。
【００４５】
これらのポート４５は、ＣＰＵ９からの指令によって、その機能を変更可能なポート、例えば汎用Ｉ／Ｏポートである。詳しくは、各ポート４５は、ポート設定用のプログラムによって、マイクロコンピュータ５から信号を出力する出力ポート、外部からマイクロコンピュータに信号を入力する入力ポート、外部との通信（シリアル通信）を行う通信ポートに、変更可能である。
【００４６】
マイクロコンピュータ５は、基板４７に取り付けられており、基板４７の一端には、無線モジュール３３を接続するために第１コネクタ４９が取り付けられている。
そして、ポート４５のうち例えば第１ポート４５ａには、第１ポート４５ａと第１コネクタ４９の第１端子４９ａとを接続するように、第１信号線５１が設けられている。
【００４７】
同様に、例えば第２ポート４５ｂには、第２ポート４５ｂと第１コネクタ４９の第２端子４９ｂとを接続するように、第２信号線５３が設けられている。
なお、無線モジュール３３が接続されている場合には、第１信号線５１は、第１ポート４５ａから無線モジュール３３にデータを送信する送信用の通信ラインとして使用される。一方、第２信号線５３は、無線モジュール３３からのデータを第２ポート４５ｂにて受信する受信用の通信ラインとして使用される。
【００４８】
また、無線モジュール３３には、第１コネクタ４９と接続される第２コネクタ５５が設けられている。従って、第１コネクタ４９と第２コネクタ５５とが接続される場合には、第１コネクタ４９の第１端子４９ａ及び第２端子４９ｂが、それぞれ第２コネクタ５５の第１端子５５ａ及び第２端子５５ｂに接続される。
【００４９】
この無線モジュール３３は、アンテナや送信回路や受信回路等を備えた周知の無線回路であり、上述したように、外部装置３５との間で、周知の方式にて、無線通信を行うことが可能である。なお、無線通信の方式としては、ブルートゥース（bluetooth ）（登録商標）、Ｗｉ−Ｆｉ（wireless fidelity）（登録商標）、特小無線、ＮＦＣ（near field communication）（登録商標）、ＲＦＩＤ（radio frequency identifer）（登録商標）等が挙げられる。
【００５０】
［１−３．処理］
次に、マイクロコンピュータ５にて処理内容について説明する。
この処理は、酸素濃縮装置１の起動時の処理である。なお、本処理は、電源スイッチが２１がオン（ＯＮ）となった場合の処理であるが、最初の起動時に１回実施すればよい。
【００５１】
図５に示すように、マイクロコンピュータ５では、まず、ステップ（Ｓ）１００にて、ＣＰＵ９の指示により、所定のポート４５（例えば第１ポート４５ａ及び第２ポート４５ｂ）を通信ポートに設置する。
【００５２】
例えば、第１ポート４５ａを、シリアル通信によりデータを送信する出力用の通信ポートに設定するとともに、第２ポート４５ｂを、シリアル通信によりデータを受信する受信用の通信ポートに設定する。
【００５３】
なお、マイクロコンピュータ５の各ポート４５は、初期設定では、予め所定の機能のポート（出力ポートや入力ポート等）となるように設定される。
続くステップ１１０では、第１ポート４５ａから第１コネクタ４９に対して所定の（返信を要求する）コマンドを送信する。なお、この時点では、無線モジュール３３が搭載されているか否かは不明である。
【００５４】
このコマンドとしては、例えば周知のＡＴコマンドを採用できる。このＡＴコマンドのフォーマットは、最初がＡＴで始まる最大４０文字からなり、複数のコマンドやパラメータ等から構成されている。
【００５５】
続くステップ１２０では、第２ポート４５ｂに、ＡＴコマンドに対する返信（即ちリザルトコード）があるか否かを判定する。ここで、肯定判断されるとステップ１３０に進み、一方否定判断されるとステップ１４０に進む。
【００５６】
なお、リザルトコードによって、無線モジュール３３の情報を得ることができる。例えば無線通信の通信速度や、無線通信の方式の種類等の情報を得ることができる。
ステップ１３０では、返信があったので、マイクロコンピュータ５に無線モジュール３３が正常な状態（即ち無線通信が可能な状態）で接続されていると判断し、酸素濃縮装置１の動作モードを無線通信を行う場合の動作モードに切り替えて、一旦本処理を終了する。
【００５７】
例えばＲＯＭ１３から無線用画面を読み出し、ディスプレイ３１に表示する処理を行う。例えば図６（ａ）に示すように、例えばメンテナンス用の画面において、[無線モジュール有り]等の表示をしたり、データ等の送信の選択をするためのボタン６１等を表示するようにする。
【００５８】
一方、ステップ１４０では、返信がないので、マイクロコンピュータ５に無線モジュール３３が接続されていないと判断し、酸素濃縮装置１の動作モードを無線通信を行わない場合の動作モードに切り替える。
【００５９】
例えば第１ポート４５ａ及び第２ポート４５ｂを出力ポートに設定する。
続くステップ１５０では、例えばＲＯＭ１３から非無線用画面を読み出し、ディスプレイ３１に表示する処理を行う。例えば図６（ｂ）に示すように、例えばメンテナンス用の画面において、[無線モジュール無し]等の表示をして、一旦本処理を終了する。
【００６０】
［１−４．効果］
本実施形態では、電子制御装置３（詳しくはマイクロコンピュータ５）と外部装置３５との無線通信を行う無線モジュール３３が、マイクロコンピュータ５に、無線通信が可能な所定の接続状態で接続されている否かを、第１コネクタ４９側に所定のコマンド（ＡＴコマンド）を送信し、その応答信号（リザルトコード）の状態に基づいて判定する。
【００６１】
そして、無線モジュール３３がマイクロコンピュータ５に所定の接続状態で接続されていると判定された場合（応答信号があった場合）には、マイクロコンピュータ５の動作モードを無線モジュールによる無線通信を行う場合の動作モードに切り替える。例えば、どのようにデータを出力するか（無線か有線か）という手順や、ディスプレイの表示画面や、ポートの機能を切り替える。
【００６２】
つまり、本実施形態では、酸素濃縮装置１に無線モジュール３３が搭載されているか否かを判定し、その判定結果に応じて、自動的に無線モジュール３３の搭載の有無に対応した動作モードを切り替えることができる。
【００６３】
従って、無線モジュール３３を搭載する酸素濃縮装置１や無線モジュール３３を搭載しない酸素濃縮装置１を、同じ製造工場等で製造する場合でも、マイクロコンピュータ５に上述した判定や切り替えを行う共通のソフトウェアを組み込んでおけば良いので、管理工数を低減できるという効果がある。
【００６４】
つまり、例えば２品番で同じ部品（同じソフトウェアを組み込んだ基板）が使用できるので、管理工数を低減でき、複数種の酸素濃縮装置１の製造にかかる手間やコストを低減できるという顕著な効果を奏する。
【００６５】
また、本実施形態では、リザルトコードに内容に基づいて、無線モジュール３３の無線形式を判定することができる。
更に、本実施形態では、酸素濃縮装置１の起動時に、無線モジュール３３の接続状態を判定するので、その後は、その判定結果に基づいて設定される動作モードにて、酸素濃縮装置１を作動させることができる。
【００６６】
しかも、本実施形態では、無線モジュール３３の接続状態の判定結果に基づいてディスプレイ３１の表示内容を切り替えるので、その表示内容から、無線モジュール３３の接続状態や動作モードを容易に認識することができる。
【００６７】
また、本実施形態では、接続状態の判定を行う場合には、ポート４５のうちの第１、第２ポート４５ａ、４５ｂを通信を行うための通信ポートとして設定するので、その通信ポートを利用して、接続状態等を認識することができる。また、無線モジュール３３が接続されている場合には、その通信ポートを利用して、データの送受信を行うことが可能になる。
【００６８】
更に、本実施形態では、無線モジュール３３が接続されていない場合には、通信ポートを出力ポートに切り替えるので、ノイズや外乱がマイクロコンピュータ５に入力することを抑制できる。
【００６９】
［１−５．特許請求の範囲との対応関係］
ここで、特許請求の範囲と実施形態とにおける文言の対応関係について説明する。
酸素濃縮装置１、電子制御装置３、マイクロコンピュータ５、ディスプレイ３１、無線モジュール３３、外部装置３５、接続判定部４１、動作モード切替部４３、ポート４５、第１コネクタ４９が、それぞれ、酸素濃縮装置、電子制御装置、マイクロコンピュータ、表示装置、無線モジュール、外部装置、接続判定部、動作モード切替部、ポート、接続部の一例に相当する。
【００７０】
なお、本発明は前記実施形態になんら限定されるものではなく、本発明を逸脱しない範囲において種々の態様で実施しうることはいうまでもない。
（１）例えば、動作モードに応じてディスプレイに表示する内容としては、各種の内容が挙げられる。
【００７１】
例えば無線モジュールの有無等の表示に関しては、例えばディスプレイの表示画面を、通常の運転状態を示す表示画面からメンテナンス用の表示画面に切り替えた場合に表示するようにしてもよい。
【００７２】
（２）また、酸素濃縮装置から外部装置への通信の指示は、酸素濃縮装置側から行ってもよいが、外部装置側から行ってもよい。
（３）外部装置としては、上述したデータ管理装置である携帯端末以外に、無線の基地局が挙げられる。この場合には、インターネット等を介して、直接に管理センター等にデータを送信することが可能である。
【００７３】
（４）上述した実施形態等の構成要素を適宜組み合わせることも可能である。
【符号の説明】
【００７４】
１…酸素濃縮装置
３…電子制御装置
５…マイクロコンピュータ
３１…ディスプレイ
３３…無線モジュール
３５…外部装置
４１…接続判定部
４３…動作モード切替部
４５、４５ａ、４５ｂ…ポート
４９…第１コネクタ
【図１】
2017131269.tif 000003
【図２】
2017131269.tif 000004
【図３】
2017131269.tif 000005
【図４】
2017131269.tif 000006
【図５】
2017131269.tif 000007
【図６】
2017131269.tif 000008